(57)【要約】【課題】  本発明は釣竿ケースに関し、ボトムカップとケース本体の止着部の隙間から水が浸入しても、水が釣竿ケース内に浸入する虞のない釣竿ケースを提供することを目的とする。【解決手段】  請求項１に係る発明は、筒状に成形したケース本体の底部をボトムカップ内に差し込んで止着した釣竿ケースに於て、上記ケース本体の底部に内蓋を装着し、当該内蓋でケース本体の底部を閉塞すると共に、ボトムカップに排水孔を設けたことを特徴とする。そして、請求項２に係る発明は、請求項１に記載の釣竿ケースに於て、ボトムカップの底部と内蓋との間に、間隙が設けられていることを特徴とし、請求項３に係る発明は、請求項１または請求項２に記載の釣竿ケースに於て、ボトムカップの内側底部に突部が突設され、当該突部を除く部位に排水孔が設けられていることを特徴とする。【選択図】    図２
2005210964.tif 000002
【特許請求の範囲】
【請求項１】
筒状に成形したケース本体の底部をボトムカップ内に差し込んで止着した釣竿ケースに於て、
上記ケース本体の底部に内蓋を装着し、当該内蓋でケース本体の底部を閉塞すると共に、ボトムカップに排水孔を設けたことを特徴とする釣竿ケース。
【請求項２】
ボトムカップの底部と内蓋との間に、間隙が設けられていることを特徴とする請求項１に記載の釣竿ケース。
【請求項３】
ボトムカップの内側底部に突部が突設され、当該突部を除く部位に排水孔が設けられていることを特徴とする請求項１または請求項２に記載の釣竿ケース。
【請求項４】
筒状に成形したケース本体の底部をボトムカップ内に差し込んで止着した釣竿ケースに於て、
上記ボトムカップの側壁の内側に、当該側壁に沿って支持壁を立設し、ケース本体の底部を当該支持壁と側壁との間の間隙に差し込んで、ケース本体の底部と支持壁を止着すると共に、ボトムカップに上記間隙と連通する排水孔を設けたことを特徴とする釣竿ケース。
【発明の詳細な説明】
【技術分野】
【０００１】
本発明は、釣竿を収納する釣竿ケースに関する。
【背景技術】
【０００２】
釣人は、釣竿を衝撃から守り、また、海水で濡らすことなく運搬するために釣竿を釣竿ケースに収納する。
そして、従来、釣竿ケースは、接地衝撃から釣竿を保護するため、ケース本体（胴部）の底部に樹脂成形品のボトムカップ（底皿体）を装着してケース本体の底部を塞ぎ、また、ケース本体に防水素材を用いたり防水構造のファスナーを用いて、釣竿ケース内部への水の浸入を防止している。
【０００３】
しかし、釣竿ケースは、筒体に成形したケース本体の底部をボトムカップ内に差し込んで縫糸やリベット，ネジ等で止着した構造上、雨や飛沫が釣竿ケースにかかると、ケース本体の外周を伝った水がボトムカップとの止着部の隙間から釣竿ケース内に浸入してしまう虞があった。
そして、一度釣竿ケース内に水が浸入してまうと、容易に水を排水させることができないのが実情である。
【０００４】
また、特許文献１には、ボトムカップの底部に複数の水抜き孔を設けた釣竿ケースが開示されている。
【特許文献１】特開２００１−１７８３４３号公報
【発明の開示】
【発明が解決しようとする課題】
【０００５】
しかし乍ら、斯様にボトムカップの底部に水抜き孔を設けると、逆に水抜き孔から釣竿ケース内に水が多量に浸入してしまい、好ましい構造とはいえなかった。
本発明は斯かる実情に鑑み案出されたもので、ボトムカップとケース本体の止着部の隙間から水が浸入しても、水が釣竿ケース内に浸入する虞のない釣竿ケースを提供することを目的とする。
【課題を解決するための手段】
【０００６】
斯かる目的を達成するため、請求項１に係る発明は、筒状に成形したケース本体の底部をボトムカップ内に差し込んで止着した釣竿ケースに於て、上記ケース本体の底部に内蓋を装着し、当該内蓋でケース本体の底部を閉塞すると共に、ボトムカップに排水孔を設けたことを特徴とする。
そして、請求項２に係る発明は、請求項１に記載の釣竿ケースに於て、ボトムカップの底部と内蓋との間に、間隙が設けられていることを特徴とし、請求項３に係る発明は、請求項１または請求項２に記載の釣竿ケースに於て、ボトムカップの内側底部に突部が突設され、当該突部を除く部位に排水孔が設けられていることを特徴とする。
【０００７】
また、請求項４に係る発明は、筒状に成形したケース本体の底部をボトムカップ内に差し込んで止着した釣竿ケースに於て、上記ボトムカップの側壁の内側に、当該側壁に沿って支持壁を立設し、ケース本体の底部を当該支持壁と側壁との間の間隙に差し込んで、ケース本体の底部と支持壁を止着すると共に、ボトムカップに上記間隙と連通する排水孔を設けたことを特徴とする。
【発明の効果】
【０００８】
各請求項に係る発明によれば、雨や飛沫が釣竿ケースにかかって、ケース本体の外周を伝った水がボトムカップとの止着部の隙間から内部に浸入しても、水が釣竿ケース内に浸入することがなく、釣竿ケースの確実な防水が可能となった。
そして、請求項２及び請求項３に係る発明によれば、ボトムカップ内部に浸入した水を、突部の周辺部に集めて排水孔から速やかに排水させることができる利点を有する。
【発明を実施するための最良の形態】
【０００９】
以下、本発明の実施形態を図面に基づいて詳細に説明する。
図１及び図２は請求項１乃至請求項３に係る釣竿ケースの一実施形態を示し、図１に於て、１は所定形状に裁断された１枚のシートを筒状に屈曲形成した釣竿ケース３のケース本体（胴部）で、図２に示すようにその底部５は、ケース本体１の成形材料より剛性の大きい樹脂材料で形成された断面コ字状のボトムカップ（底皿体）７内に差し込まれて、当該ボトムカップ７の側壁９に全周が縫糸１１で縫着されて止着されている。
【００１０】
ケース本体１を形成するシートは、所定形状に裁断した１枚のポリウレタンやエチレン酢酸ビニル等の合成樹脂やゴム等の発泡材（独立気泡発泡材または連続気泡発泡材）の表裏に、ナイロンやポリプロピレン等の薄い外布と内布を添設した積層構造をなし、ケース本体１の背中当接面にショルダーベルト１３や図示しない手提げ用の取っ手が取り付き、また、ケース本体１の一側面に図示しない小物用のサイドポケットが取り付けられている。
【００１１】
そして、ケース本体１に開口する釣竿取出し口１５に、スライダー１６の操作で当該釣竿取出し口１５をケース本体１の頂部からボトムカップ７に亘って開閉するファスナー（スライドファスナー）１７が取り付けられている。
ファスナーエレメント１９，２１が取り付くファスナー１７の一対のファスナーテープ２３，２５は、例えばポリエステル繊維等の合成樹脂繊維を織成または編成して布状に形成され、夫々の裏面側に合成樹脂シートを溶着した防水用のコーティング層が設けられた防水構造となっている。
【００１２】
図２はケース本体１が止着されたボトムカップ７の断面図を示し、図中、２７はケース本体１の底部５を閉塞する断面コ字状の内蓋で、当該内蓋２７は、ボトムカップ７と同一材料を用いてボトムカップ７より薄肉に形成されている。そして、内蓋２７はケース本体１の底部５の内周に配置されてケース本体１との境界からの水の浸入が防止され、その側壁２９が底部５の周壁に全周に亘って縫糸１１で止着されている。
【００１３】
そして、既述したようにケース本体１の底部５は、ボトムカップ７内に差し込まれてその側壁９に縫糸１１で止着されているが、前記内蓋２７とボトムカップ７の底部３１との間に間隙３３を空けて、ケース本体１の底部５がボトムカップ７に止着されている。
また、ボトムカップ７の底部３１の四隅には、リング状の支持脚３５が下方へ一体に突設され、更に各支持脚３５の中央に、上記間隙３３と連通する排水孔３７が夫々設けられている。
【００１４】
尚、排水孔３７から地面の水をボトムカップ７内に吸い上げてしまうことがないように、排水孔３７の外側開口部は、支持脚３５の地面に接地する最下部より上側に形成されている。
そして、ボトムカップ７の底部３１の中央部分には、釣竿ケース３の上方へ突出する平面視円形状の平坦な突部３９が設けられており、前記排水孔３７は、夫々、当該突部３９の周辺部に配置された構造となっている。
【００１５】
尚、上記突部３９は内蓋２７に当接せず、当該突部３９と内蓋２７との間に間隙３３が確保されている。また、排水孔は、ボトムカップ７の底部３１に近い側壁９に設けてもよい。
本実施形態はこのように構成されているから、スライダー１６の操作で、ファスナー１７が釣竿ケース３の釣竿取出し口１５をケース本体１の頂部からボトムカップ７に亘って開閉する。
【００１６】
従って、釣人は釣竿取出し口１５から釣竿を取り出し、また、釣竿取出し口１５から釣竿を釣竿ケース３内に収納すればよく、収納された釣竿は釣竿ケース３内で内蓋２７上に載置される。
そして、ボトムカップ７と内蓋２７が接地衝撃から釣竿ケース３内の釣竿を保護し、また、防水素材を用いたケース本体１と防水構造のファスナー１７によって防水が図られるが、ケース本体１の底部５が縫糸１１によってボトムカップ７に止着されているため、雨や飛沫が釣竿ケース３にかかると、従来と同様、ケース本体１の外周を伝って水がボトムカップ７との止着部の隙間からボトムカップ７の内部に浸入する。
【００１７】
しかし、本実施形態に係る釣竿ケース３は、ボトムカップ７の底部３１との間に間隙３３を空けてケース本体１の底部５を内蓋２７で閉塞しているため、ボトムカップ７の内部に浸入した水は、内蓋２７に遮られてケース本体１内に浸入することがない。
そして、既述したようにボトムカップ７の底部３１に突部３９が中央部分に設けられて、当該突部３９の周辺部に複数の排水孔３７が配置された構造上、ボトムカップ７内に浸入した水は、上方へ突出した突部３９の周辺部に集められて排水孔３７から外部に速やかに排水されることとなる。
【００１８】
一方、排水孔３７を介して水がボトムカップ７内に浸入するが、水は内蓋２７に遮られてケース本体１内に浸入せず、突部３９の周辺部に集められて排水孔３７から外部に排水される。
従って、本実施形態によれば、雨や飛沫が釣竿ケース３にかかって、ケース本体１の外周を伝った水がボトムカップ７との止着部の隙間から内部に浸入しても、水が釣竿ケース３内に浸入することがなく、この結果、防水素材を用いたケース本体１と防水構造のファスナー１７との組み合わせで釣竿ケース３の確実な防水が可能となった。
【００１９】
而も、本実施形態によれば、ボトムカップ７内に浸入した水を排水孔３７から速やかに排水させることができるし、排水孔３７から水がボトムカップ７内に浸入しても、水は内蓋２７に遮られてケース本体１内に浸入せず、突部３９の周辺部に集められて排水孔３７から速やかに外部に排水させることができる。
そして、本実施形態によれば、既存の構造に大きな変更を必要とせず、構造が非常に簡単でコストも安い利点を有する。
【００２０】
尚、既述した内蓋２７の成形材料に代え、防水構造を以ったファスナーテープ２３，２５と同一材料を用いて内蓋２７を形成してもよく、斯かる構成によっても、所期の目的を達成することが可能である。
図３は請求項４に係る釣竿ケースの一実施形態を示し、本実施形態に係る釣竿ケース３-1は、既述したボトムカップ７と同一材料で成形した断面コ字状のボトムカップ７-1の側壁９-1に沿ってその内側に支持壁４１を底部３１-1から立設し、ケース本体１の底部５を当該支持壁４１と側壁９-1との間の間隙４３に差し込んで、側壁９-1とケース本体１の底部５と支持壁４１とを縫糸１１で一体に止着すると共に、ボトムカップ７-1の底部３１-1に、上記間隙４３と連通する複数の排水孔４５を支持脚３５-1内に設けたもので、ケース本体１の底部５と排水孔４５との間には若干の隙間を空けている。
【００２１】
尚、ケース本体１の底部５を支持壁４１と側壁９-1とに止着したが、少なくとも側壁９-1に止着されていればよい。
そして、ファスナー等、その他の構成は図１の実施形態と同様であるので、それらの説明は省略する。
本実施形態はこのように構成されているから、ボトムカップ７-1とケース本体１の止着部の隙間から内部に水が浸入するが、水は支持壁４１と側壁９-1との間の間隙４３に沿って流下して排水孔４５から外部に速やかに排水されることとなる。
【００２２】
従って、本実施形態によっても、雨や飛沫が釣竿ケース３-1にかかって、ケース本体１の外周を伝った水がボトムカップ７-1との止着部の隙間からボトムカップ７-1内に浸入しても、水が釣竿ケース３-1内に浸入することがなく、因って、防水素材を用いたケース本体１と防水構造のファスナー１７との組み合わせで釣竿ケース３-1の確実な防水が可能となる。
【００２３】
而も、本実施形態によれば、ボトムカップ７-1（間隙４３）内に浸入した水を排水孔４５から速やかに排水させることができるし、排水孔４５から水がボトムカップ７-1内に浸入しても、排水孔４５から速やかに排水させることができる。
そして、本実施形態によっても、既存の構造に大きな変更を必要とせず、構造が非常に簡単でコストも安い利点を有する。
【００２４】
尚、上述した各実施形態では、排水孔３７，４５をボトムカップ７，７-1の底部３１，３１-1に設けたが、側壁９，９-1に設けてもよい。この場合、排水孔は側壁９，９-1の底部３１，３１-1近傍に設けることが好ましい。
【図面の簡単な説明】
【００２５】
【図１】請求項１乃至請求項３の一実施形態に係る釣竿ケースの正面図である。
【図２】ケース本体が止着されたボトムカップの断面図である。
【図３】請求項４の一実施形態に係る釣竿ケースのケース本体が止着されたボトムカップの断面図である。
【符号の説明】
【００２６】
１  ケース本体
３，３-1  釣竿ケース
５，３１，３１-1  底部
７，７-1  ボトムカップ
９，９-1，２９  側壁
１１  縫糸
１５  釣竿取出し口
１７  ファスナー
２７  内蓋
３３，４３  間隙
３５，３５-1  支持脚
３７，４５  排水孔
３９  突部
４１  支持壁
【図１】
2005210964.tif 000003
【図２】
2005210964.tif 000004
【図３】
2005210964.tif 000005